(57)【要約】【課題】伸縮式の筆記具，化粧具の使用モードと携帯モードとの選択を、先軸筒および後軸筒の上下方向への移動操作のみでできるようにすることを目的とする。【解決手段】携帯モードから使用モードに移行するには、後軸筒２（キャップ１）を最上位置まで動かしてから後軸筒２を少し下げる操作を行う。最初の上動操作により、回転子６は、柱状部６１が当該後軸筒の上下方向の溝状部２１から脱した後、スライド子５のカム面５２の第１の安定位置へと時計方向に回動する。次の下動操作により、回転子６（柱状部６１）は、後軸筒２のカム面２２の使用モード位置へとさらに時計方向に回動する。使用モード位置では回転子６，芯ケース４が柱状部６１を介して後軸筒２にロックされた形となり、芯出し操作が可能となる。携帯モードへ戻すには、先ず後軸筒２を再び最上位置まで動かしてロック状態を解除し、次に後軸筒２を先軸筒３に対して下動させる。【選択図】図１
2005178114.tif 000002
【特許請求の範囲】
【請求項１】
書記部材または化粧部材の軸筒部分を第１の軸筒と第２の軸筒とに分割した態様で形成し、当該軸筒同士がその長手方向に相対移動する伸縮式の筆記具または化粧具において、
前記書記部材または前記化粧部材に、当該部材とともに前記長手方向に移動するスライド子と、これに対応した回転子とを取り付け、
前記第１の軸筒に、前記スライド子および前記回転子を前記長手方向に案内するためのガイド部を形成し、
前記スライド子および前記第１の軸筒のそれぞれに、前記回転子に作用してこれを回動するためのカム面を形成し、
前記カム面を、
携帯モードから使用モードへ移行するときの伸方向への前記相対移動に基づいて前記ガイド部の案内から脱した前記回転子を、前記スライド子のカム作用で、自カム面の、前記ガイド部から一定の周方向にずれた形の第１の安定位置まで回動させて保持し、
その後の、前記伸方向とは逆の縮方向への前記相対移動により、前記第１の安定位置の前記回転子を、前記第１の軸筒のカム作用で、自カム面の、当該安定位置から前記周方向にずれた形の使用モード位置まで回動させて保持し、
その後の、前記伸方向への再度の前記相対移動により、前記使用モード位置の前記回転子を、前記スライド子のカム作用で、自カム面の、当該使用モード位置から前記周方向にずれた形の第２の安定位置まで回動させて保持し、
その後の、前記縮方向への再度の前記相対移動により、前記第２の安定位置の前記回転子を、前記第１の軸筒のカム作用で、当該安定位置から前記周方向にずれた形の前記ガイド部の位置まで回動させ、かつ、当該ガイド部の位置に移動した当該回転子を、前記スライド子のカム面の、前記第２の安定位置から前記周方向にずれた形の第３の安定位置に移行する前の段階に相当する、部分で受ける態様のものにした、
ことを特徴とする伸縮式の筆記具または化粧具。
【請求項２】
前記スライド子に、一定の周方向にみたときに山部から谷部へと移行する下りテーパ部と、谷部から山部へと移行する上りテーパ部とからなるカム面を形成し、
前記第１の軸筒に、前記使用モード位置を設定するための第１のテーパ部およびこれに続く垂下部と、前記回転子を前記ガイド部の位置まで回動させるための第２のテーパ部とからなるカム面を形成した、
ことを特徴とする請求項１記載の伸縮式の筆記具または化粧具。
【請求項３】
前記第１のテーパ部およびこれに続く垂下部と、当該垂下部に続く前記第２のテーパ部  
とからなるカム面単位部分を、隣同士の前記ガイド部の間に形成した、
ことを特徴とする請求項２記載の伸縮式の筆記具または化粧具。
【発明の詳細な説明】
【技術分野】
【０００１】
本発明は、書記部材（シャープペンシルの芯ケース，水性・油性ボールペンのレフィールなど）や化粧部材（口紅，アイシャドー，アイライナーなど）を収納する軸筒部分を例えば先軸筒と後軸筒とに分割して、当該軸筒がその長手方向（上下方向）に相対移動できるようにした、伸縮式の筆記具または化粧具に関する。
【０００２】
なお、本発明の筆記具または化粧具の全長を長くした場合の「伸状態」は使用モードであり、また全長を短くした場合の「縮状態」は携帯（不使用）モードとなる。
【０００３】
本明細書においては、必要に応じて、筆記具または化粧具の書記部材や化粧部材の出没側を「下」または「先」と記し、これとは反対の操作側を「上」または「後」と記す。
【背景技術】
【０００４】
従来、筆記具の先軸筒と後軸筒とをその長手方向に相対的に移動させることにより、当該筆記具の全長を変化させてそれの「伸状態」と「縮状態」とを選択的に設定することは知られている（例えば特許文献１参照）。
【０００５】
この筆記具を「縮状態」から「伸状態」に移行させる場合、利用者は、
・先ず、例えば後軸筒（上部軸筒）をその長手方向に先軸筒（中間軸筒）から引っ張り、
・次に、この後軸筒を先軸筒に対して一定角度だけ回動させる、
といったように、後軸筒に対する長手方向への引っ張りと、その後の周方向（時計方向）への回動とからなる２段階の操作をしている。
【０００６】
そして、「伸状態」から「縮状態」に移行させるときの利用者は、上述の場合とは逆に、例えば後軸筒を、先ず周方向（反時計方向）へ回動することにより「伸状態」のロック状態を解除してから先軸筒に押し入れるといった操作を行う。
【特許文献１】特開平０５−１３９０８７号公報
【発明の開示】
【発明が解決しようとする課題】
【０００７】
従来の、このような「伸状態」と「縮状態」との選択的な設定機能を備えた筆記具の場合、これらの各状態の一方のモードから他方のモードに変更するには、後軸筒などに対する伸縮操作および回動操作のいわば二次元操作を行わなければならず、モード変更の操作に手間がかかるという問題点があった。
【０００８】
そこで、本発明では、伸縮式の筆記具または化粧具をその「伸状態」の使用モードと「縮状態」の携帯モードとに、先軸筒および後軸筒の上下方向への相対的な移動操作のみ、すなわち当該軸筒に対する一次元操作のみで選択的に設定できるような伸縮機構を提供し、これにより当該筆記具などの「伸状態」および「縮状態」の選択操作の簡便化を図ることを目的とする。
【課題を解決するための手段】
【０００９】
本発明は、以上の課題を次のようにして解決する。
（１）書記部材または化粧部材の軸筒部分を第１の軸筒（例えば後述の後軸筒２）と第２の軸筒（例えば後述の先軸筒３）とに分割した態様で形成し、当該軸筒同士がその長手方向に相対移動する伸縮式の筆記具または化粧具において、前記書記部材（例えば後述の芯ケース４）または前記化粧部材に、当該部材とともに前記長手方向に移動するスライド子（例えば後述のスライド子５）と、これに対応した回転子（例えば後述の回転子６）とを取り付け、前記第１の軸筒に、前記スライド子および前記回転子を前記長手方向に案内するためのガイド部（例えば後述の溝状部２１）を形成し、前記スライド子および前記第１の軸筒のそれぞれに、前記回転子に作用してこれを回動するためのカム面（例えば後述のカム面５２，２２）を形成し、前記カム面を、携帯モードから使用モードへ移行するときの伸方向への前記相対移動に基づいて前記ガイド部の案内から脱した前記回転子（例えば後述の柱状部６１）を、前記スライド子のカム作用で、自カム面の、前記ガイド部から一定の周方向にずれた形の第１の安定位置（例えば図３(b)の位置）まで回動させて保持し、その後の、前記伸方向とは逆の縮方向への前記相対移動により、前記第１の安定位置の前記回転子（例えば後述の柱状部６１）を、前記第１の軸筒のカム作用で、自カム面の、当該安定位置から前記周方向にずれた形の使用モード位置（例えば図３(c)の位置）まで回動させて保持し、その後の、前記伸方向への再度の前記相対移動により、前記使用モード位置の前記回転子（例えば後述の柱状部６１）を、前記スライド子のカム作用で、自カム面の、当該使用モード位置から前記周方向にずれた形の第２の安定位置（例えば図４(d)の位置）まで回動させて保持し、その後の、前記縮方向への再度の前記相対移動により、前記第２の安定位置の前記回転子（例えば後述の柱状部６１）を、前記第１の軸筒のカム作用で、当該安定位置から前記周方向にずれた形の前記ガイド部の位置（例えば図４(e)の位置）まで回動させ、かつ、当該ガイド部の位置に移動した当該回転子を、前記スライド子のカム面の、前記第２の安定位置（例えば図４(d)の位置）から前記周方向にずれた形の第３の安定位置に移行する前の段階に相当する、部分で受ける態様のものにする。
（２）前記スライド子に、一定の周方向にみたときに山部から谷部へと移行する下りテーパ部（例えば後述のテーパ部５２ｂ）と、谷部から山部へと移行する上りテーパ部（例えば後述のテーパ部５２ｃ）とからなるカム面を形成し、前記第１の軸筒に、前記使用モード位置を設定するための第１のテーパ部（例えば後述のテーパ部２２ａ）およびこれに続く垂下部（例えば後述の垂下部２２ｂ）と、前記回転子を前記ガイド部の位置まで回動させるための第２のテーパ部（例えば後述のテーパ部２２ｃ）からなるカム面を形成する。
（３）前記第１のテーパ部およびこれに続く垂下部と、当該垂下部に続く前記第２のテーパ部とからなるカム面単位部分を、隣同士の前記ガイド部の間に形成する。
【発明の効果】
【００１０】
本発明は、このように、伸縮式の筆記具または化粧具の使用モード（伸状態）および携帯モード（縮状態）の選択を、先軸筒および後軸筒の上下方向への相対的な移動操作のみで設定可能な形にしているので、当該筆記具などのモード選択操作の簡便化を図ることができる。
【発明を実施するための最良の形態】
【００１１】
図１乃至図６を用いて本発明の実施の形態を説明する。上述のように、本発明は伸縮式の筆記具または化粧具のいずれにも適用されるものであるが、以下の記載では、説明の便宜上、筆記具のシャープペンシルを対象とする。
【００１２】
図１は伸縮式の筆記具の携帯モード（縮状態），図２は当該筆記具の使用モード（伸状態），図３は携帯モードから使用モードへの移行にともなう回転子などの位置変化，図４は使用モードから携帯モードへの移行にともなう回転子などの位置変化，図５はスライド子および回転子、図６は後軸筒および図１のA−A′断面をそれぞれ示している。
【００１３】
図示の筆記具は、概略、
・キャップ１
・キャップ１に強く嵌合し、かつ後述の回転子に対するカム面２２を内周面下側部分に持つ後軸筒２
・キャップ１の内周面に案内されながら上下方向に移動可能な先軸筒３
・下端側に周知の芯チャックを有して後軸筒２および先軸筒３の内部空間に収納され、かつ（芯出し操作時を除き）当該先軸筒と一体になって上下方向に移動する芯ケース４
・芯ケース４の外周面側に配されて後軸筒２の上下方向の溝状部に案内され、かつ後述の回動子に対するカム面５２を下端部分に持つ環状のスライド子５
・芯ケース４の外周面側に配されてスライド子５とともに後軸筒２の上下方向の溝状部２１に案内されながら上下方向に移動し、かつ当該溝状部から脱した状態では当該スライド子や当該後軸筒の各カム面の作用で当該芯ケースの周方向に回動する環状の回転子６
・キャップ１に螺合した天冠７
・先軸筒３に螺合したテーパ先金８
などの各構成要素からなっている。
【００１４】
そして、この筆記具の主たる特徴は、（スライド子５とともに後軸筒２の溝状部２１に案内されて上下動でき、かつ、当該溝状部から脱した状態では芯ケース４などに対して回動可能な）回転子６の、携帯モード／使用モード切換えにともなう回動位置の変化態様である。なお、スライド子５は常に後軸筒２の上下方向の当該溝状部に案内されているので、当該スライド子が当該後軸筒に対して回動することはない。
【００１５】
すなわち、図３および図４に示すように、
Ａ：後軸筒２（キャップ１）と先軸筒３とを相対的に伸ばして（例えば後軸筒２を先軸筒３に対して上動させて）図１の携帯モードから図２の使用モードへ移行する場合、
(a1)先ず、後軸筒２と先軸筒３とを相対的に伸ばす（後軸筒２を例えば最上位置まで動かす）ことにより、回転子６は、その柱状部６１が当該後軸筒の上下方向の溝状部２１から脱した後、スライド子５のカム面５２の第１の安定位置へと（上からみて）時計方向に回動し、かつ、当該スライド子がこの回動分だけ当該回転子に対して下動し〔図３(a)→(b)〕、
(a2)次に、後軸筒２を少し下げる（例えば天冠７のノック操作や、テーパ先金８の下端側を紙面に押し付ける操作などを行う）ことにより、回転子６（柱状部６１）は、後軸筒２のカム面２２の使用モード位置へとさらに同じく時計方向に回動し、かつ、当該スライド子がこの回動分だけ当該回転子に対して順に上動・下動し〔図３(b)→(c)：図２の使用モード〕、
Ｂ：一方、図２の使用モードから図１の携帯モードへ移行する場合、
(b1)先ず、例えば後軸筒２（キャップ１）を再び最上位置まで動かすことにより、回転子６（柱状部６１）は、スライド子５のカム面５２の第２の安定位置へとさらに同じく時計方向に回動し、かつ、当該スライド子がこの回動分だけ当該回転子に対して下動し〔図３(c)→図４(d)〕、
(b2)次に、後軸筒２（キャップ１）と先軸筒３とを相対的に縮める（例えば後軸筒２を先軸筒３に対して下動させる）ことにより、回転子６（柱状部６１）は、後軸筒２のカム面２２に倣いながら当該後軸筒の上下方向の次の溝状部２１までさらに時計方向に回動し、かつ、当該スライド子がこの回動分だけ当該回転子に対して順に上動・下動する〔図４(d)→(e)〕。
【００１６】
ステップ(a2)を終えた図３(c)の状態では、回転子６（およびこれと上下方向に一体の芯ケース４）がその柱状部６１を介して後軸筒２にいわばロックされ、すなわち当該後軸筒と芯ケース４とが一体化して、当該後軸筒（天冠７）に対する芯出し用のノック操作が有効となる。
【００１７】
このロック状態において、通常のノック操作のストローク以上に後軸筒２を先軸筒３に対して相対的に下動させる、すなわち携帯モードに移行させることができないことは勿論である。ステップ(b1)はこのロック状態を解除するためのものである。
【００１８】
回転子６は、(a1)〜(b2)の携帯モード−使用モード−携帯モードの1サイクルごとに後軸筒２の上下方向の溝状部２１の１ピッチ分だけ回動する。
【００１９】
このように、後軸筒２と先軸筒３との相対的に伸縮操作のみにより、すなわち当該軸筒に対する回動操作なしに、伸縮式筆記具の携帯モード（縮状態）と使用モード（伸状態）とを選択的に設定している。
【００２０】
図１乃至図６において、
１はキャップ，１１は当該キャップと一体のクリップ，１２は当該キャップの下端部分に螺合している中リング，
２は後軸筒，２１は当該後軸筒の内周面の上下方向にその下端側が開口する態様で形成した溝状部，２２は当該後軸筒の下端側（の溝状部２１が存在しない部分）に形成した鋸歯状のカム面，２２ａは当該カム面の使用モード位置設定用のテーパ部，２２ｂは当該カム面の同じく使用モード位置設定用の垂下部，２２ｃは当該カム面の溝状部移行用のテーパ部，２３は当該後軸筒の平坦な下端面，
３は先軸筒，３１は当該先軸筒の上端面，３２は当該先軸筒に形成した孔部，３３は当該先軸筒と一体になってキャップ１の内周面に当接する先軸筒案内用の板バネ，３３ａは当該板バネを当該孔部に嵌合させるための突状部，
４は芯ケース，４１は当該芯ケースの開口部に圧入嵌合された筒状部，４１ａは当該筒状部の外周面に形成されてスライド子５に対応する環状鍔部，４２は回転子６に対応する環状座部，４３は当該筒状部の上端側に着脱自在な形で取り付けられた尾栓，４４は当該芯ケースと一体のチャック継手，４５は当該チャック継手に巻装された芯出し操作復帰用のコイル状スプリング，
５はスライド子，５１は後軸筒２の溝状部２１に案内される柱状部，５２は当該スライド子の下端面に形成された山谷状のカム面，５２ａは当該カム面の谷部，５２ｂは当該カム面を下側から反時計方向にみていくときに山部から谷部へと向かう下りテーパ部，５２ｃはこれとは逆の上りテーパ部，５３は当該スライド子を下方に付勢するためその上面と環状鍔部４１ａとの間の筒状部４１に巻装されたコイル状スプリング，
６は回転子，６１は後軸筒２の溝状部２１に案内されるとともに当該溝状部を脱した状態では当該後軸筒のカム面２２やスライド子５のカム面５２からの回動力を受ける柱状部，６１ａは当該柱状部の上端面にスライド子５の下りテーパ部５２ｂと対応するように形成されたテーパ状のカム面，６２は環状座部４２と当該回転子の下面との間の芯ケース部分に取り付けられた環状のワッシャ，
７は天冠，
８は芯出没用の開口部を持つテーパ先金，
９はテーパ先金８と螺合して中をチャック継手４４が上下動するテーパ継手，
をそれぞれ示している。
【００２１】
ここで、周知の芯送り機構（図示省略）が作動するのは、後軸筒２のカム面２２のテーパ部２２ａおよび垂下部２２ｂで回転子６の柱状部６１をその回動方向と上方向に対しロック状態（図３(c)参照）にしてから、例えば当該後軸筒と一体の天冠７をノック操作する、すなわち芯ケース４を先軸筒３（テーパ継手９）に対して下動させるときである。
【００２２】
図１の携帯モード〔＝図３(a)〕では、
・後軸筒２および先軸筒３は、それぞれの下端面２３と上端面３１とが当接した縮状態に設定され、
・スライド子５および回転子６は、それぞれの柱状部５１，６１が後軸筒２の溝状部２１に案内され、かつ、それぞれの下りテーパ部５２ｂとカム面６１ａとが当接した状態でコイル状スプリング５３により下方向に付勢され、
・回転子６は後軸筒２のカム面２２に何ら拘束されていない。
【００２３】
携帯モードの場合、後軸筒２の下端面２３と先軸筒３の上端面３１が当接しているため芯出し用のノック操作をすることができない。
【００２４】
図１の携帯モードから図２の使用モードに移行するには、後軸筒２および先軸筒３を相対的にその長手方向に略最大限まで伸ばしてから少し縮めればよい。
【００２５】
図２の使用モード〔＝図３(c)〕では、
・後軸筒２の下端面２３と先軸筒３の上端面３１とは離間し、
・スライド子５の柱状部５１は後軸筒２の溝状部２１に案内され（＝図１）、
・回転子６の柱状部６１は後軸筒２の溝状部２１から離脱して後軸筒２のカム面２２のテーパ部２２ａおよび垂下部２２ｂに係止され、
・回転子６のカム面６１ａは後軸筒２のテーパ部２２ａおよびスライド子５の下りテーパ部５２ｂ（＝携帯モードのときに比べて一つ隣の下りテーパ部）に当接している。
【００２６】
すなわち、後軸筒２と先軸筒３とが離間し、かつ、芯ケース４とともに上下方向に移動する回転子６がその柱状部６１を後軸筒２のカム面２２で押さえられた形のロック状態（回動不能状態）になっているため、芯ケース４は、天冠７（後軸筒２）のノック操作によりテーパ継手９に対して下動し、芯出し動作が行われる。
【００２７】
なお、ここでの芯出し操作は後軸筒２と先軸筒３との縮方向への相対的な移動をともなう形のものであればよい。例えば先軸筒３を後軸筒２に対して後方向に移動させるような操作でもよい。いずれの芯出し操作の場合にも、各軸筒の位置関係はコイル状スプリング４５の作用によって操作前の状態に復帰する。
【００２８】
図３および図４に関する以下の記述は、あくまで説明の便宜上、後軸筒２を先軸筒３に対して前後動させるモード切換操作を前提にし、また、回転子６の複数柱状部の中の一つ（図示の柱状部６１）の位置変化に着目した内容になっている。なお、モード切換操作自体は、後軸筒２と先軸筒３との相対的な前後動をともなうものであればよく、この前提の場合に限定されないことは勿論である。
【００２９】
図３において、
(a)図１の携帯モードでは、
・スライド子５および回転子６の各柱状部５１，６１がともに後軸筒２の溝状部２１に入り込み、
・回転子６のカム面６１ａは、スライド子５の柱状部５１の底面部分の下りテーパ部５２ｂに、当該カム面が当該スライド子のカム面５２の谷部５２ａまで到達しない態様で、当接し、
(b)使用モードへの移行途中の最伸状態（＝後軸筒２を上動させた状態）では、
・スライド子５の柱状部５１が後軸筒２の溝状部２１に入り込んだまま、
・回転子６の柱状部６１は後軸筒２の溝状部２１から離脱し、
・回転子６は、そのカム面６１ａが、スライド子カム面５２の下りテーパ部５２ｂに当接しながらその谷部５２ａに到達する位置まで回動し、
・スライド子５は回転子６の当該回動分だけ当該回転子の方に下動し、
(c)図２の使用モード（＝最伸状態から後軸筒２を少し下動させた状態）では、
・スライド子５の柱状部５１が後軸筒２の溝状部２１に入り込んだまま、
・回転子６は、そのカム面６１ａに対する後軸筒カム面２２のテーパ部２２ａの作用により、その柱状部６１が後軸筒カム面２２のテーパ部２２ａおよび垂下部２２ｂに当接する位置まで回動したロック状態となり、
・スライド子５は、回転子６の当該回動分だけ回転子カム面６１ａに対していったん上動した後で下動し、
・回転子カム面６１ａの（外側に突出していない）内側部分が、スライド子５の(b)における下りテーパ部５２ｂから時計方向に上りテーパ部５２ｃを超えた一つ隣の下りテーパ部に、その谷部まで到達しない態様で当接している。
【００３０】
すなわち、(c)の使用モードでは、後軸筒２および先軸筒３を相対的に縮める芯出し操作（例えば後軸筒２のノック操作）のとき、回転子６は垂下部２２ａに阻まれて回動できない。そのため、当該回転子およびこれと上下方向に一体の芯ケース４などが先軸筒３に対して下動し、芯送り機構が動作する。
【００３１】
図４において、
(d)使用モードの後軸筒２を上動させた例えば最伸状態では、
・スライド子５の柱状部５１が後軸筒２の溝状部２１に入り込んだまま、
・回転子６は、その柱状部６１およびカム面６１ａが後軸筒カム面２２のテーパ部２２ａおよび垂下部２２ｂのそれまで（使用モード）の当接位置から離脱して、かつ、そのカム面６１ａがスライド子５のカム面５２の下りテーパ部５２ｂに倣いながら谷部５２ａに到達する位置まで回動し、
・スライド子５は回転子６の当該回動分だけ当該回転子の方に下動し、
(e)その後の後軸筒２の下動操作の途中（＝携帯モードへの移行途中）では、
・スライド子５の柱状部５１が後軸筒２の溝状部２１に入り込んだまま、
・回転子６は、そのカム面６１ａに対する後軸筒カム面２２のテーパ部２２ｃの作用により、その柱状部６１が(a)における対応溝状部２１から時計方向に一つ隣の溝状部に入り込む位置まで回動し、
・スライド子５は、回転子６の当該回動分だけ回転子カム面６１ａに対していったん上動した後で下動し、
・回転子６のカム面６１ａが、スライド子５の(d)における下りテーパ部５２ｂから時計方向に上りテーパ部５２ｃを超えた一つ隣の下りテーパ部に、その谷部まで到達しない態様で当接しており、この当接状態のまま携帯モードへと移行する。
【００３２】
このように、図３(c)の使用モードにおける後軸筒２と回転子６とのいわば係止状態をいったん解除して、当該回転子をスライド子カム面５２の安定位置まで回動し、その後、回転子カム面６１ａを後軸筒カム面のテーパ部２２ｃで駆動することにより回転子６の柱状部６１が後軸筒２の溝状部２１に誘導される。
【００３３】
以上の回転子６の位置変化を十全に確保できるのは、後軸筒２の溝状部２１および垂下部２２ｂと、スライド子５のカム面５２の谷部５２ａとの周方向における位置関係を図示のようにずらしているからである。
【００３４】
すなわち、図３の(a)および(c)における回転子６の柱状部６１はいずれもスライド子５のカム面５２の安定位置である谷部５２ａには当接していない。そのため、次の(b)および(d)の最伸状態にしたときには、それぞれ、回転子６が必ずスライド子５のカム面５２の谷部５２ａの位置まで回動し、その後に後軸筒２を下動させても元の(a)，(c)の状態に戻ることはなく、本来の(c)，(e)の状態に確実に移行することができる。
【００３５】
図５および図６は、スライド子５，回転子６および後軸筒２それぞれのカム面などを斜視図の形で示し、また図１のＡ−Ａ′断面を示している。
【００３６】
なお、以上の説明では後軸筒２の内周面に溝状部２１を、またスライド子５および回転子６にそれぞれ柱状部５１，６１を設けているが、これを逆にしてもよい。
【００３７】
この場合、後軸筒２の内周面に（溝状部２１に代わる）突状のガイド部を形成し、スライド子５および回転子６の柱状部５１、６１の部分を他の環状部よりも相対的な凹状部（＝当該各柱状部をなくした形）とし、かつ、回転子６の柱状部６１以外の環状部（図５(b)の平坦な上面部分）に図示のカム面６１に相当するカム面を形成すればよい。
【図面の簡単な説明】
【００３８】
【図１】本発明の、伸縮式の筆記具の携帯モード（縮状態）を示す説明図である。
【図２】本発明の、伸縮式の筆記具の使用モード（伸状態）を示す説明図である。
【図３】本発明の、携帯モードから使用モードへの移行にともなう回転子などの位置変化を示す説明図である。
【図４】本発明の、使用モードから携帯モードへの移行にともなう回転子などの位置変化を示す説明図である。
【図５】本発明の、スライド子および回転子を示す説明図である。
【図６】本発明の、後軸筒および図１のA−A′断面を示す説明図である。
【符号の説明】
【００３９】
１：キャップ
１１：クリップ
１２：中リング
２：後軸筒
２１：溝状部
２２：鋸歯状のカム面
２２ａ：使用モード位置設定用のテーパ部
２２ｂ：使用モード位置設定用の垂下部
２２ｃ：溝状部移行用のテーパ部
２３：平坦な下端面
３：先軸筒
３１：上端面
３２：孔部
３３：先軸筒案内用の板バネ
３３ａ：突状部
４：芯ケース
４１：筒状部
４１ａ：環状鍔部
４２：環状座部
４３：尾栓
４４：チャック継手
４５：芯出し操作復帰用のコイル状スプリング
５：スライド子
５１：柱状部
５２：山谷状のカム面
５２ａ：谷部
５２ｂ：下りテーパ部
５２ｃ：上りテーパ部
５３：芯ケース部分（筒状部）に巻装されたコイル状スプリング
６：回転子
６１：柱状部
６１ａ：テーパ状のカム面
６２：環状のワッシャ
７：天冠
８：テーパ先金
９：テーパ継手
【図１】
2005178114.tif 000003
【図２】
2005178114.tif 000004
【図３】
2005178114.tif 000005
【図４】
2005178114.tif 000006
【図５】
2005178114.tif 000007
【図６】
2005178114.tif 000008